(57)【特許請求の範囲】
【請求項１】
映像信号の表示または音声信号の出力に関する設定情報をその視聴条件と関連付けて保持する設定情報保持手段と、
前記設定情報の推薦およびその視聴条件をネットワークを介して受け付ける設定情報受付手段と、
前記推薦された設定情報についてその妥当性を判定する妥当性判定手段と、
前記妥当性判定手段によって妥当であると判定された設定情報およびその視聴条件を前記設定情報保持手段に保持させるように登録する設定情報登録手段と、
前記設定情報のうち推奨されるものの要求をその視聴条件とともに受け付ける推奨設定要求受付手段と、
前記要求に係る視聴条件に基づいて前記設定情報保持手段に登録されている前記設定情報を抽出する条件抽出手段と、
前記抽出された設定情報の中から推奨される設定情報を導出する推奨設定導出手段と、
前記導出された設定情報を前記ネットワークを介して提供する推奨設定提供手段と
を具備する映像音声設定情報管理装置。
【請求項２】
前記妥当性判定手段は、既に前記設定情報保持手段に登録されている設定情報の分布に対して前記推薦された設定情報が所定の範囲内に存在する場合に妥当であると判定する請求項１記載の映像音声設定情報管理装置。
【請求項３】
前記推奨設定導出手段は、前記抽出された設定情報の中から統計的手法により前記推奨される設定情報を導出する請求項１記載の映像音声設定情報管理装置。
【請求項４】
前記推奨設定導出手段は、前記抽出された設定情報の平均値を前記推奨される設定情報として導出する請求項３記載の映像音声設定情報管理装置。
【請求項５】
前記推奨設定導出手段は、前記抽出された設定情報のうち標準偏差の範囲内に存在するものを前記推奨される設定情報として導出し、
前記推奨設定提供手段は、前記導出された設定情報を平均値に近い順に提供する
請求項３記載の映像音声設定情報管理装置。
【請求項６】
映像信号の表示または音声信号の出力に関する設定情報をその視聴条件と関連付けて保持する設定情報保持手段を備える映像音声設定情報管理装置において、
前記設定情報の推薦およびその視聴条件をネットワークを介して受け付ける設定情報受付手順と、
前記推薦された設定情報についてその妥当性を判定する妥当性判定手順と、
前記妥当性判定手順において妥当であると判定された設定情報およびその視聴条件を前記設定情報保持手段に保持させるように登録する設定情報登録手順と、
前記設定情報のうち推奨されるものの要求をその視聴条件とともに受け付ける推奨設定要求受付手順と、
前記要求に係る視聴条件に基づいて前記設定情報保持手段に登録される前記設定情報を抽出する条件抽出手順と、
前記抽出された設定情報の中から推奨される設定情報を導出する推奨設定導出手順と、
前記導出された設定情報を前記ネットワークを介して提供する推奨設定提供手順と
を具備する映像音声設定情報管理方法。
【請求項７】
映像信号の表示または音声信号の出力に関する設定情報をその視聴条件と関連付けて保持する設定情報保持手段を備える映像音声設定情報管理装置において、
前記設定情報の推薦およびその視聴条件をネットワークを介して受け付ける設定情報受付手順と、
前記推薦された設定情報についてその妥当性を判定する妥当性判定手順と、
前記妥当性判定手順において妥当であると判定された設定情報およびその視聴条件を前記設定情報保持手段に保持させるように登録する設定情報登録手順と、
前記設定情報のうち推奨されるものの要求をその視聴条件とともに受け付ける推奨設定要求受付手順と、
前記要求に係る視聴条件に基づいて前記設定情報保持手段に登録される前記設定情報を抽出する条件抽出手順と、
前記抽出された設定情報の中から推奨される設定情報を導出する推奨設定導出手順と、
前記導出された設定情報を前記ネットワークを介して提供する推奨設定提供手順と
をコンピュータに実行させるプログラム。
【発明の詳細な説明】
【技術分野】
【０００１】
本発明は、映像音声設定情報管理装置に関し、特に映像信号の表示または音声信号の出力に関する設定情報を管理する映像音声設定情報管理装置、および、その処理方法ならびに当該方法をコンピュータに実行させるプログラムに関する。
【背景技術】
【０００２】
従来、テレビジョン受信装置やＤＶＤ（Digital Versatile Disk）再生装置などの映像音声提示装置では、当該装置において調整可能な項目がメニュー画面等によって提供され、これに従ってユーザが自分の調整したい項目について逐一調整できるようになっている。
【０００３】
しかしながら、映像や音声の調整の際には、各調整項目の変更による副作用が互いに影響し合うことが多く、総合的にユーザの嗜好に合致した状態に安定させることは困難になる。このような調整項目間の影響は、調整項目数が増えると益々顕著になる。
【０００４】
そこで、従来は、ネットワークに接続されたサーバに、映像コンテンツ毎に調整データファイルを格納しておいて、視聴しようとする映像コンテンツに合致した調整データファイルをサーバから装置側にダウンロードする技術が提案されている（例えば、特許文献１参照。）。
【特許文献１】特開２００７−２５２９４号公報（図６）
【発明の開示】
【発明が解決しようとする課題】
【０００５】
上述の従来技術では、映像タイトル名の一覧からユーザが何れかを選択することにより、視聴しようとする映像コンテンツに合致した調整データを取得できるようになっている。
【０００６】
しかしながら、ユーザにとって最適な調整を行うためには、映像コンテンツのみに注目したのでは不十分である。ユーザはそれぞれ異なる鑑賞環境を有しており、また、嗜好には個人差がある。その一方で、多くの人が肯定的に評価する調整項目の設定には一定の傾向があると考えられる。
【０００７】
本発明は、このような事情に鑑みてなされたものであり、映像音声提示装置の調整項目について各人の嗜好に合致する設定を共有して、これに基づいて条件に応じた設定を推奨することを目的とする。
【課題を解決するための手段】
【０００８】
本発明は、上記課題を解決するためになされたものであり、その第１の側面は、映像信号の表示または音声信号の出力に関する設定情報をその視聴条件と関連付けて保持する設定情報保持手段と、上記設定情報の推薦およびその視聴条件をネットワークを介して受け付ける設定情報受付手段と、上記推薦された設定情報およびその視聴条件を上記設定情報保持手段に保持させるように登録する設定情報登録手段と、上記設定情報のうち推奨されるものの要求をその視聴条件とともに受け付ける推奨設定要求受付手段と、上記要求に係る視聴条件に基づいて上記設定情報保持手段に登録されている上記設定情報を抽出する条件抽出手段と、上記抽出された設定情報の中から推奨される設定情報を導出する推奨設定導出手段と、上記導出された設定情報を上記ネットワークを介して提供する推奨設定提供手段とを具備することを特徴とする映像音声設定情報管理装置、その処理方法およびその方法をコンピュータに実行させるプログラムである。これにより、推薦された設定情報を設定情報保持手段に登録しておいて、要求に従って視聴条件を抽出することにより、推奨される設定条件を導出させるという作用をもたらす。
【０００９】
また、この第１の側面において、上記推薦された設定情報についてその妥当性を判定する妥当性判定手段をさらに具備し、上記設定情報登録手段は、上記妥当性判定手段によって妥当であると判定された設定情報およびその視聴条件を上記設定情報保持手段に保持させるように登録してもよい。これにより、推薦された設定情報が妥当な範囲を超えている場合には登録させないという作用をもたらす。
【００１０】
また、この第１の側面において、上記妥当性判定手段は、既に上記設定情報保持手段に登録されている設定情報の分布に対して上記推薦された設定情報が所定の範囲内に存在する場合に妥当であると判定するようにしてもよい。これにより、設定情報保持手段に登録されている設定情報の分布を基準として、推薦された設定情報の妥当性を判定させるという作用をもたらす。
【００１１】
また、この第１の側面において、上記推奨設定導出手段は、上記抽出された設定情報の中から統計的手法により上記推奨される設定情報を導出してもよい。この場合において、上記推奨設定導出手段は、上記抽出された設定情報の平均値を上記推奨される設定情報として導出してもよく、また、上記抽出された設定情報のうち標準偏差の範囲内に存在するものを上記推奨される設定情報として導出してもよい。
【発明の効果】
【００１２】
本発明によれば、映像音声提示装置の調整項目について各人の嗜好に合致する設定を共有して、これに基づいて条件に応じた設定を推奨することができるという優れた効果を奏し得る。
【発明を実施するための最良の形態】
【００１３】
次に本発明の実施の形態について図面を参照して詳細に説明する。
【００１４】
図１は、本発明の実施の形態における映像音声設定情報管理システムの全体構成例を示す図である。この映像音声設定情報管理システムは、映像音声提示装置群１０とサーバ２０とをネットワーク３０により相互接続することによって構成される。
【００１５】
映像音声提示装置群１０は、映像信号を表示し、または、音声信号を出力する複数の映像音声提示装置１１、１２、...である。この映像音声提示装置としては、例えば、テレビ受像機や、ホームシアターシステム等が想定される。
【００１６】
サーバ２０は、インターネットやＬＡＮ等のネットワーク３０に接続され、映像音声提示装置群１０に共有されるサーバである。本発明の実施の形態では、サーバ２０は、後述のように映像音声提示装置における調整項目の設定情報を保持する。
【００１７】
図２は、本発明の実施の形態における映像音声提示装置の一具体例の放送受信装置３００の構成例を示す図である。この放送受信装置３００は、プロセッサ３１０と、メモリ３２０と、フラッシュメモリ３３０と、チューナ３４０と、復調部３５０と、デマルチプレクサ３６０と、音声復号部３６７と、映像復号部３６８と、デジタル−アナログ（Ｄ／Ａ）変換部３７０と、音声供給部３７７と、映像供給部３７８と、インターフェース３９０とを備える。これらはバス３８０により接続される。また、チューナ３４０には外部機器としてアンテナ３０９が接続される。
【００１８】
プロセッサ３１０は、放送受信装置３００全体の動作を制御するものである。メモリ３２０は、プロセッサ３１０の主記憶に該当し、プロセッサ３１０上で動作するプログラム等が記憶されるものである。フラッシュメモリ３３０は、不揮発性の記録媒体であり、放送受信装置３００の電源を切った後で再び必要とされる情報を保持するために使用される。従って、放送受信装置３００の電源が入ると、このフラッシュメモリ３３０の内容がメモリ３２０に転送されるようになっている。
【００１９】
チューナ３４０は、アンテナ３０９から供給された放送信号からプロセッサ３１０の制御によって所定チャンネルの信号を検波して復調部３５０に供給するものである。放送信号は、地上波でもよく、放送衛星（ＢＳ）放送や通信衛星（ＣＳ）放送による衛星信号でもよい。復調部３５０は、プロセッサ３１０の制御によりチューナ３４０からの放送信号を復調してデータを取り出してデマルチプレクサ３６０に供給するものである。デジタル放送の場合は、例えば位相変調（ＰＳＫ）等によりデジタル変調されており、復調部３５０はこのデジタル変調された信号からデータを取り出す。
【００２０】
デマルチプレクサ３６０は、復調部３５０からのデータを音声データと映像データとに分離して、音声復号部３６７および映像復号部３６８にそれぞれ供給するものである。デマルチプレクサ３６０は、デジタル放送の場合には例えばデジタルデータのトランスポートデコーダとして機能し、ＭＰＥＧ（Moving Picture Experts Group）−２のトランスポートストリームを音声データとしての音声ストリームと映像データとしての映像ストリームとに分離する。また、この場合、デマルチプレクサ３６０は、トランスポートストリーム中の番組仕様情報（ＰＳＩ）や番組配列情報（ＳＩ）を分離する。
【００２１】
音声復号部３６７および映像復号部３６８は、デマルチプレクサ３６０から供給された音声データおよび映像データをそれぞれ復号して、Ｄ／Ａ変換部３７０に供給するものである。例えば、ＭＰＥＧ符号化された音声ストリームおよび映像ストリームをＭＰＥＧ復号して、音声信号および映像信号とする。
【００２２】
Ｄ／Ａ変換部３７０は、音声復号部３６７および映像復号部３６８から供給されたデジタル信号をアナログ信号に変換して音声供給部３７７および映像供給部３７８に供給するものである。映像供給部３７８から出力された映像信号は（図示しない）ディスプレイに供給される。音声供給部３７７から出力された音声信号は（図示しない）スピーカに供給される。
【００２３】
インターフェース３９０は、外部からの操作入力を放送受信装置３００内部のバス３８０に接続するものである。このインターフェース３９０としては、例えば、リモートコントローラの受信器を備えることができる。
【００２４】
図３は、本発明の実施の形態における映像音声提示装置の要部の構成例を示す図である。ここでは、映像制御部１１０と、映像設定記憶部１２０と、映像表示部１３０と、音声制御部１４０と、音声設定記憶部１５０と、音声出力部１６０と、通信インターフェース１７０とを備えることを想定する。
【００２５】
映像制御部１１０は、映像設定記憶部１２０に記憶された映像設定情報に基づいて、信号線１１１から供給された映像信号を映像表示部１３０に表示させるよう制御するものである。
【００２６】
映像設定記憶部１２０は、映像信号を映像表示部１３０に表示する際の映像設定情報を記憶するものである。この映像設定情報に含まれる調整項目としては、映像の明るさを示すブライトネス、映像の明暗の差を示すコントラスト、映像の輪郭の強さを示すシャープネス、特定のコンテンツ種別に特化した設定を示すモード、映像のざらつきや色ノイズを軽減するノイズリダクション等を想定することができる。なお、上述のモードとしては、動きの激しいスポーツを表示するのに適したスポーツモードや、映画鑑賞に適したムービーモード等を想定することができる。
【００２７】
映像表示部１３０は、映像制御部１１０から供給された映像信号を表示するものであり、例えば、ＬＣＤ（Liquid Crystal Display）等のディスプレイ装置により実現される。
【００２８】
音声制御部１４０は、音声設定記憶部１５０に記憶された音声設定情報に基づいて、信号線１４１から供給された音声信号を音声出力部１６０に出力させるよう制御するものである。
【００２９】
音声設定記憶部１５０は、音声信号を音声出力部１６０に出力する際の音声設定情報を記憶するものである。この音声設定記憶部１５０に含まれる調整項目としては、音声の高音部の音量を調整する高音音量、音声の低音部の音量を調整する低音音量、高低音域を強調する音域強調、５．１チャンネルなどのサラウンド音声を再生するサラウンド等を想定することができる。
【００３０】
音声出力部１６０は、音声制御部１４０から供給された音声信号を出力するものであり、例えば、スピーカ等により実現される。
【００３１】
通信インターフェース１７０は、ネットワーク３０を介してサーバ２０との間の通信を行うインターフェースである。この通信インターフェース１７０により、映像設定および音声設定の設定情報に関する推薦の送信や、推奨設定の受信などが行われる。
【００３２】
図４は、本発明の実施の形態におけるサーバ２０の要部の構成例を示す図である。ここでは、設定情報データベース２１０と、設定情報受付部２２０と、設定情報登録部２３０と、妥当性判定部２４０と、抽出条件受付部２５０と、条件抽出部２６０と、推奨設定導出部２７０と、推奨設定提供部２８０とを備えることを想定する。
【００３３】
設定情報データベース２１０は、映像信号の表示または音声信号の出力に関する設定情報をその視聴条件と関連付けて保持するデータベースである。この設定情報データベース２１０は、映像音声提示装置群１０から受け付けた設定情報をそれぞれ個別に保持しており、関連付けて保持された視聴条件によって抽出処理を行うことができるようになっている。
【００３４】
設定情報受付部２２０は、ネットワーク３０を介して映像音声提示装置群１０の何れかの映像音声提示装置から推薦された設定情報（以下、「推薦設定情報」という。）をその視聴条件とともに受け付けるものである。この設定情報受付部２２０によって受け付けられた設定情報およびその視聴条件は、設定情報登録部２３０に供給される。
【００３５】
設定情報登録部２３０は、設定情報受付部２２０によって受け付けられた設定情報およびその視聴条件を設定情報データベース２１０に保持させるように登録するものである。その登録の際、設定情報登録部２３０は、妥当性判定部２４０に推薦設定情報の妥当性を判定させる。
【００３６】
妥当性判定部２４０は、設定情報データベース２１０に登録されようとする推薦設定情報の妥当性について判定するものである。この妥当性判定部２４０は、既に設定情報データベース２１０に登録されている設定情報の分布に対して推薦設定情報が所定の範囲内に存在する場合に妥当であると判定する。例えば、推薦設定情報の設定値が設定情報データベース２１０に登録されている設定情報における標準偏差の２倍を超える位置に分布している場合には、妥当でないと判定する。この妥当性判定部２４０によって妥当でないと判定された場合、設定情報登録部２３０はその推薦設定情報の登録を行わない。
【００３７】
抽出条件受付部２５０は、設定情報データベース２１０に登録されている設定情報のうち推奨される設定情報（以下、「推奨設定情報」という。）の要求を映像音声提示装置群１０の何れかの映像音声提示装置から受け付けるものである。この推奨設定情報の要求は、設定情報データベース２１０から抽出すべき視聴条件を伴う。その視聴条件は、条件抽出部２６０に供給される。
【００３８】
条件抽出部２６０は、抽出条件受付部２５０から供給された視聴条件に基づいて設定情報データベース２１０に登録されている設定情報を抽出するものである。この抽出結果は、推奨設定導出部２７０に供給される。
【００３９】
推奨設定導出部２７０は、条件抽出部２６０による抽出結果に基づいて、その抽出された設定情報の中から推奨設定情報を導出するものである。この推奨設定導出部２７０は、抽出された設定情報の中から統計的手法により推奨設定情報を導出する。この統計的手法として、例えば、抽出された設定情報の特定の項目の平均値、最頻値または中央値をその特定の項目の推奨設定情報として用いることができる。また、抽出された設定情報のうち特定の項目が標準偏差の範囲内に存在するものをその特定の項目の推奨設定情報として用いることができる。
【００４０】
推奨設定提供部２８０は、推奨設定導出部２７０によって導出された推奨設定情報を、その推奨設定情報の要求を行った映像音声提示装置に対して提供するものである。
【００４１】
図５は、本発明の実施の形態における設定情報データベース２１０の登録内容の一例を示す図である。この設定情報データベース２１０は、映像音声提示装置の設定情報を視聴条件と関連付けて保持している。
【００４２】
設定情報は、映像信号の表示または音声信号の出力に関する設定情報であり、推薦設定情報として映像音声提示装置群１０の何れかの映像音声提示装置から推薦された設定情報である。この例では、映像設定情報に含まれる調整項目として、ブライトネス、コントラスト、シャープネス、モード、ノイズリダクションを例示しているが、これ以外の調整項目であってもよい。
【００４３】
視聴条件は、対応する設定情報の基礎となる視聴条件である。この例では、対応する設定情報を推薦した人物の個人情報として、年齢、性別、居住地域が例示されている。また、その設定情報に適した鑑賞環境として、周辺の照明に関する情報が例示されている。また、その設定情報に適したコンテンツ種別が示されている。さらに、その設定情報に対応する映像音声提示装置の機種が示されている。これらの視聴条件は例示であり、これ以外の条件を保持するようにしてもよい。
【００４４】
設定情報および視聴条件はそれぞれ１対１に対応しており、設定情報データベース２１０においては、両者は関連付けて保持される。例えば、図中の２０歳男性のケースでは、ブライトネス、コントラスト、シャープネスは何れも「５０」であり、モードは「オフ」、ノイズリダクションは「切」になっている。
【００４５】
このようにして登録された設定情報および視聴条件は、条件抽出部２６０において合致する視聴条件が抽出され、その設定情報が推奨設定導出部２７０に供給される。
【００４６】
図６は、本発明の実施の形態における条件抽出部２６０による条件抽出の一例を示す図である。条件抽出部２６０は、抽出条件受付部２５０において受け付けられた推奨設定情報の要求に伴う視聴条件によって、条件抽出を行う。
【００４７】
この例では、年齢として２８歳から３２歳の範囲が指定され、居住地域として埼玉県、千葉県、東京都および神奈川県が指定されたことを想定している。その結果、網掛けを施した６つの設定情報が抽出条件に合致するものとして選択されている。
【００４８】
このように、条件抽出の際には、抽出条件受付部２５０から与えられた視聴条件の全てを満たす設定情報が選択される。この例では年齢および居住地域の２つの項目が抽出条件として与えられたものとしているが、この抽出条件は何れの項目の組み合わせであってもよい。
【００４９】
このような条件抽出の結果、該当する設定情報が複数選択される場合がある。その場合、推奨設定導出部２７０は、抽出された設定情報の中から統計的手法により推奨設定情報を導出する。この統計的手法として、例えば、抽出された設定情報の特定の項目の平均値、最頻値または中央値をその特定の項目の推奨設定情報として用いることができる。例えば、抽出されたＮ個の設定情報における特定の項目（例えば、ブライトネスの値Ｂ1乃至ＢN）の平均値Ｂavgは、次式により算出できる。
Ｂavg＝（Ｂ1＋Ｂ2＋・・・＋ＢN）／Ｎ
このようにして算出された平均値などを設定情報として提供することができる。
【００５０】
また、抽出された設定情報のうち特定の項目が標準偏差の範囲内に存在するものをその特定の項目の推奨設定情報として用いることができる。ここで、標準偏差σは、分散σ2の正の平方根である。例えば、抽出されたＮ個の設定情報における特定の項目（例えば、ブライトネスの値Ｂ1乃至ＢN）の分散σB2は、次式により算出できる。
σB2＝（(Ｂ1−Ｂavg)2＋(Ｂ2−Ｂavg)2＋・・・＋(ＢN−Ｂavg)2）／Ｎ
このようにして算出された分散から標準偏差を求め、この標準偏差の範囲内に存在する設定情報を順次提供することができる。
【００５１】
図７は、本発明の実施の形態における映像音声提示装置の設定情報推薦画面の一例を示す図である。設定情報を推薦する映像音声提示装置では、この画面により設定情報の入力が行われる。
【００５２】
左側の調整項目７１１に対して、右側の入力領域７１３によりユーザの望む設定が入力される。その結果、入力された設定値７１２が中央に表示される。この例では、調整項目７１１を５つに限定しているが、これ以外の項目を入力できるようにしてもよい。
【００５３】
設定ボタン７２１が押下されると、その設定値７１２により映像の表示または音声の出力が行われる。推薦ボタン７２２が押下されると、次に視聴条件の入力画面に移行する。一方、キャンセルボタン７２３が押下されると、調整項目７１１に対する設定入力処理は中止される。
【００５４】
図８は、本発明の実施の形態における映像音声提示装置の視聴条件入力画面の一例を示す図である。左側の条件項目７３１に対して、右側の入力領域７３２によりユーザの視聴条件が入力される。そして、送信ボタン７４１が押下されると、この視聴条件とともに設定情報が通信インターフェース１７０からサーバ２０へ送信される。一方、キャンセルボタン７４２が押下されると、設定情報の送信は中止される。
【００５５】
図９は、本発明の実施の形態における映像音声提示装置からサーバ２０への設定情報推薦処理のシーケンスチャートの一例を示す図である。
【００５６】
映像音声提示装置から推薦設定情報が送信（８１１）されると、サーバ２０はその推薦設定情報を受け付ける（８２１）。これにより、サーバ２０は、推薦設定情報の妥当性について判定する（８２２）。推薦設定情報が妥当であると判定されると、サーバ２０は設定情報データベース２１０に推薦設定情報を視聴条件と関連付けて登録する。登録の有無は、サーバ２０から映像音声提示装置に通知される（８１３）。
【００５７】
推薦設定情報が登録された場合には、推薦された設定情報が登録された旨がそのユーザの画面に表示される。一方、推薦設定情報が妥当でないと判定された場合には、妥当な範囲内にないため登録が拒否された旨がそのユーザの画面に表示される。
【００５８】
図１０は、本発明の実施の形態におけるサーバ２０から映像音声提示装置への設定情報推奨処理のシーケンスチャートの一例を示す図である。
【００５９】
映像音声提示装置から推奨設定情報の要求（リクエスト）が送信（８３１）されると、サーバ２０はその要求を受け付ける（８４１）。これにより、サーバ２０は、その要求に係る視聴条件に基づいて設定情報データベース２１０に登録されている設定情報を抽出する（８４２）。そして、サーバ２０は、その抽出結果に基づいて、その抽出された設定情報の中から推奨設定情報を導出する（８４３）。導出された推奨設定情報は、サーバ２０から映像音声提示装置に提供される（８４４、８３４）。
【００６０】
図１１は、本発明の実施の形態における映像音声提示装置の推奨設定情報確認画面の一例を示す図である。サーバ２０から推奨設定情報を受信した映像音声提示装置は、その推奨設定情報を画面上に提示して、設定の可否を確認する。なお、この例では、５つの調整項目が表示されているが、これに限定されるものではない。
【００６１】
設定ボタン７６１が押下されると、提示された設定情報が映像設定記憶部１２０または音声設定記憶部１５０に記憶され、その設定情報による映像の表示または音声の出力が行われる。修正ボタン７６２が押下されると、提示された設定情報の修正画面に移行する。この修正画面には、図７に示した設定情報推薦画面における入力領域７１３と同様の入力領域が表示される。
【００６２】
次候補ボタン７６３が押下されると、推奨設定情報の中から次に推奨される設定情報が提示される。上述のように、推奨設定情報は複数の設定情報を含む場合があり、その場合、例えば標準偏差の範囲内に存在するものが平均値に近い順に提示されていく。ユーザは、その中から嗜好により近いものを選択することができる。
【００６３】
図１２は、本発明の実施の形態におけるサーバ２０の設定情報推薦処理の処理手順の一例を示す流れ図である。
【００６４】
設定情報受付部２２０が映像音声提示装置から推薦設定情報を受け付けると（ステップＳ９１１）、妥当性判定部２４０はその推薦設定情報の設定値が妥当であるか否かを判定する（ステップＳ９１２）。妥当であると判定された場合には、設定情報登録部２３０は推薦設定情報およびその視聴条件を設定情報データベース２１０に登録する（ステップＳ９１３）。
【００６５】
図１３は、本発明の実施の形態におけるサーバ２０の設定情報推奨処理の処理手順の一例を示す流れ図である。
【００６６】
抽出条件受付部２５０が映像音声提示装置から推奨設定情報の要求を受け付けると（ステップＳ９２１）、条件抽出部２６０は推奨設定情報に伴う視聴条件に基づいて設定情報データベース２１０に登録されている設定情報を抽出する（ステップＳ９２２）。そして、推奨設定導出部２７０は、その抽出結果に基づいて、その抽出された設定情報の中から推奨設定情報を導出する（ステップＳ９２３）。このようにして得られた推奨設定情報を、推奨設定提供部２８０は、その推奨設定情報の要求を行った映像音声提示装置に対して提供する（ステップＳ９２４）。
【００６７】
このように、本発明の実施の形態によれば、サーバ２０の設定情報データベース２１０に登録された設定情報を映像音声提示装置群１０において共有することができる。設定情報データベース２１０に登録された設定情報の中から映像音声提示装置における視聴条件に合致するものが条件抽出部２６０によって抽出され、推奨設定導出部２７０において統計的処理により推奨設定情報が導出される。また、設定情報の推薦の際には、妥当性判定部２４０により、その設定情報の妥当性が判定される。
【００６８】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００７２】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【００７３】
【図１】本発明の実施の形態における映像音声設定情報管理システムの全体構成例を示す図である。
【図２】本発明の実施の形態における映像音声提示装置の一具体例の放送受信装置３００の構成例を示す図である。
【図３】本発明の実施の形態における映像音声提示装置の要部の構成例を示す図である。
【図４】本発明の実施の形態におけるサーバ２０の要部の構成例を示す図である。
【図５】本発明の実施の形態における設定情報データベース２１０の登録内容の一例を示す図である。
【図６】本発明の実施の形態における条件抽出部２６０による条件抽出の一例を示す図である。
【図７】本発明の実施の形態における映像音声提示装置の設定情報推薦画面の一例を示す図である。
【図８】本発明の実施の形態における映像音声提示装置の視聴条件入力画面の一例を示す図である。
【図９】本発明の実施の形態における映像音声提示装置からサーバ２０への設定情報推薦処理のシーケンスチャートの一例を示す図である。
【図１０】本発明の実施の形態におけるサーバ２０から映像音声提示装置への設定情報推奨処理のシーケンスチャートの一例を示す図である。
【図１１】本発明の実施の形態における映像音声提示装置の推奨設定情報確認画面の一例を示す図である。
【図１２】本発明の実施の形態におけるサーバ２０の設定情報推薦処理の処理手順の一例を示す流れ図である。
【図１３】本発明の実施の形態におけるサーバ２０の設定情報推奨処理の処理手順の一例を示す流れ図である。
【符号の説明】
【００７４】
１０  映像音声提示装置群
２０  サーバ
３０  ネットワーク
１１０  映像制御部
１２０  映像設定記憶部
１３０  映像表示部
１４０  音声制御部
１５０  音声設定記憶部
１６０  音声出力部
１７０  通信インターフェース
２１０  設定情報データベース
２２０  設定情報受付部
２３０  設定情報登録部
２４０  妥当性判定部
２５０  抽出条件受付部
２６０  条件抽出部
２７０  推奨設定導出部
２８０  推奨設定提供部
３００  放送受信装置
３０９  アンテナ
３１０  プロセッサ
３２０  メモリ
３３０  フラッシュメモリ
３４０  チューナ
３５０  復調部
３６０  デマルチプレクサ
３６７  音声復号部
３６８  映像復号部
３７０  Ｄ／Ａ変換部
３７７  音声供給部
３７８  映像供給部
３８０  バス
３９０  インターフェース
【図１】
0005104187.tif 000002
【図２】
0005104187.tif 000003
【図３】
0005104187.tif 000004
【図４】
0005104187.tif 000005
【図５】
0005104187.tif 000006
【図６】
0005104187.tif 000007
【図７】
0005104187.tif 000008
【図８】
0005104187.tif 000009
【図９】
0005104187.tif 000010
【図１０】
0005104187.tif 000011
【図１１】
0005104187.tif 000012
【図１２】
0005104187.tif 000013
【図１３】
0005104187.tif 000014